(57)【特許請求の範囲】
【請求項１】
中心軸線の周囲に延びる磁気伝導環状体と、
前記中心軸線から、前記環状体に向かって半径方向に延びる、第１セットの磁気伝導プロングと、
前記第１セットの前記プロングの周囲に延びる導電巻き線と、
を備え、
前記第１セットの前記プロングが、１つ以上のエアギャップにより、前記環状体から離されている、
電子フィルタ組立体。
【請求項２】
前記第１セットの前記磁気伝導プロングが、磁束を、前記環状体に、磁気的に伝えるように構成されており、
前記磁束が、前記導電巻き線を通して伝えられている電流により、前記第１セットの前記磁気伝導プロングに誘導される、
請求項１に記載の電子フィルタ組立体。
【請求項３】
前記第１セットの前記磁気伝導プロングが、前記中心軸線を中心に、互いから対称的に離されている、請求項１または２に記載の電子フィルタ組立体。
【請求項４】
前記中心軸線が通るギャップの周囲に延びる内部環状部をさらに備え、
前記プロングが、前記内部環状部から、前記環状体に向かって延びる、
請求項１から３のいずれかに記載の電子フィルタ組立体。
【請求項５】
前記中心軸線から、前記環状体に向かって半径方向に延びる、第２セットの磁気伝導プロングをさらに備える、請求項１から４のいずれかにに記載の電子フィルタ組立体。
【請求項６】
前記第２セットの前記プロングが、前記第２セットの前記プロングの周囲に延びる、いかなる導電巻き線も含まない、請求項５に記載の電子フィルタ組立体。
【請求項７】
前記第１セットの前記磁気伝導プロングが、前記フィルタ組立体が差動モードで動作している間、磁束を磁気的に伝えるように構成されており、
前記第２セットの前記磁気伝導プロングが、前記フィルタ組立体がコモンモードで動作している間、前記磁束を磁気的に伝えるように構成されている、
請求項６に記載の電子フィルタ組立体。
【請求項８】
前記第１セットの前記磁気伝導プロングが、前記中心軸線を中心に、互いから対称的に離されており、
前記第２セットの前記磁気伝導プロングが、前記中心軸線を中心に、互いから対称的に離されている、
請求項６または７に記載の電子フィルタ組立体。
【請求項９】
前記第１セットの前記磁気伝導プロングが、分離ギャップにより、前記環状体から離されており、
前記第２セットの前記磁気伝導プロングが、前記環状体に接続されている、
請求項６から８のいずれかに記載の電子フィルタ組立体。
【請求項１０】
前記環状体、及び前記第１セットの前記磁気伝導プロングが、差動動作モード中、磁束を磁気的に伝えるが、前記第２セットの前記磁気伝導プロングが、前記磁束が、前記環状体、及び前記第１セットの前記磁気伝導プロングの外側に漏れることを防止するために、前記磁束を磁気的に伝えない、請求項６から９のいずれかに記載の電子フィルタ組立体。
【請求項１１】
前記環状体が、前記環状体の周囲に延びる、いかなる導電巻き線も含まない、請求項１から１０のいずれかに記載の電子フィルタ組立体。
【請求項１２】
中心軸線の周囲に延びる磁気伝導環状体と、前記中心軸線から、前記環状体に向かって半径方向に延びる、第１セットの磁気伝導プロングとを有する電子フィルタ組立体を形成することを含む方法であって、
前記環状体、及び前記プロングが、磁気伝導ボディによる複数の層を併せて結合することにより形成され、
前記プロングが、前記電子フィルタ組立体を形成するために、前記プロングの周囲に延びる導電巻き線を受けるように構成され、
前記プロングが、１つ以上のエアギャップにより、前記環状体から離されている、
方法。
【請求項１３】
前記層の前記磁気伝導ボディが、異なる形状を有する、請求項１２に記載の方法。
【請求項１４】
前記環状体、又は前記プロングの共通の部品を形成する、前記層の前記磁気伝導ボディが、前記層のうち別々の層では、形状が異なる、請求項１２に記載の方法。
【発明の詳細な説明】
【技術分野】
【０００１】
本明細書に開示される主題の実施形態は、インバータ、変圧器等の、電子フィ
ルタ組立体に関する。
【背景技術】
【０００２】
多相電流用に使用されるいくつかの電子フィルタ組立体には、変圧器、インダ
クタ等が含まれる。これらの組立体は、水平に向けられ、かつ平行しているフェ
ライトのヨークによって接合される、垂直に向けられ、かつ平行しているフェラ
イトのリムを含む場合がある。導電ワイヤが、垂直なリムの周囲に巻き付けられ
、組立体を形成する。動作中、電流が、これらの巻き線のいくつかによって伝え
られ、フェライトのリム、及びヨークに、磁束を誘導する。この磁束を、ヨーク
を通して他のリムに伝えることができ、ここで磁束は、ワイヤに、別の電流を誘
導することができる。この別の電流は、１つ以上の電気装置に伝えられる前に、
フィルタリングされるか、そうでなければ組立体によって変流される電流であり
得る。
【０００３】
リムが垂直に向いているため、これらの種類のフィルタ組立体は、磁気的に対
称ではない場合がある。例えば、別々のリムに誘導される別々の磁束は、別々の
距離で、及び／又は別々の通路に沿って伝えられ得る。これにより、リム、及び
ヨークにおいて、温度分布、又は加熱分布が不均等になる場合があり、このこと
が、フィルタ組立体の寿命を縮め、又はフィルタ組立体の損傷につながる恐れが
ある。また、ヨークは通常、リムに結合されるように比較的大型であるため、フ
ィルタ組立体は、大型で、かつ重い可能性がある。
【０００４】
非対称のフィルタ組立体によりまた、コモンモードでの動作中に、インピーダ
ンスの著しい増加、及び／又は組立体からの磁束の漏れが生じる恐れがある。例
えば、非対称のフィルタ組立体が、コモンモードの磁束を伝えるために使用され
る場合、コモンモードの磁束を、ヨークを通して他のリムに伝えることができな
い可能性がある。結果として、フィルタ組立体のインピーダンスが、著しく増加
し、かつ／又はコモンモードの磁束が、フィルタ組立体のリム、及びヨークから
漏れる。
【先行技術文献】
【特許文献】
【０００５】
【特許文献１】米国特許第８５８７３９８号明細書
【発明の概要】
【０００６】
一実施形態では、電子フィルタ組立体は、中心軸線の周囲に延びる磁気伝導環
状体と、中心軸線から、環状体に向かって半径方向に延びる、第１セットの磁気
伝導プロングと、第１セットのプロングの周囲に延びる導電巻き線とを備える。
【０００７】
別の実施形態では、（例えば、電子フィルタ組立体を形成する）方法は、中心
軸線の周囲に延びる磁気伝導環状体と、中心軸線から、環状体に向かって半径方
向に延びる、第１セットの磁気伝導プロングとを備える電子フィルタ組立体を形
成することを含む。環状体、及びプロングは、磁気伝導ボディによる複数の層を
、併せて結合することによって形成され得る。プロングは、電子フィルタ組立体
を形成するために、プロングの周囲に延びる導電巻き線を受けるように構成され
る。
【０００８】
別の実施形態では、別の電子フィルタ組立体は、中心軸線の周囲に延びる磁気
伝導環状体と、中心軸線から、環状体に向かって半径方向に延びる、第１セット
の磁気伝導プロングと、中心軸線から、環状体に向かって半径方向に延びる、第
２セットの磁気伝導プロングとを備える。第１セットの磁気伝導プロングが、フ
ィルタ組立体が差動モードで動作している間、磁束を磁気的に伝えるように構成
されており、第２セットの磁気伝導プロングが、フィルタ組立体がコモンモード
で動作している間、磁束を磁気的に伝えるように構成されている。
【０００９】
添付の図面を参照する。これらの図面では、本発明の特定の実施形態、及びさ
らなる利益が、以下の説明により詳細に説明されるように、示されている。
【図面の簡単な説明】
【００１０】
【図１】一実施形態による、対称型フィルタ組立体の斜視図である。
【図２】図１に示されるフィルタ組立体の概略図である。
【図３】別の実施形態による、別のフィルタ組立体を示す図である。
【図４】図３に示されるフィルタ組立体の概略図である。
【図５】別の実施形態によるフィルタ組立体の断面図である。
【図６】一実施形態によるフィルタ組立体の、差動モードでの動作中の、フィルタ組立体における磁束（Φ）の伝導を、概略的に示す図である。
【図７】一実施形態によるフィルタ組立体の、コモンモードでの動作中の、フィルタ組立体における磁束（Φ）の伝導を、概略的に示す図である。
【図８】一実施形態による、図１に示されるフィルタ組立体を形成するために組み合わせることができる、材料のいくつかの層を示す図である。
【図９】一実施形態による、電子フィルタ組立体を形成する方法の流れ図である。
【図１０】一実施形態による、フィルタ組立体の断面図である。
【発明を実施するための形態】
【００１１】
本明細書に説明される組立体、及び方法の、１つ以上の実施形態により、パワ
ーエレクトロニクスインバータに使用されるフィルタ用等のフィルタ組立体用の
、対称型コモンモード構造体を提供する。本明細書に説明される組立体は、いく
つかの知られているコア式フィルタと比べて、比較的容易に製造することができ
、小型で、軽量で、かつ／又は低コストのフィルタを提供することができる。
【００１２】
図１は、一実施形態による、対称型フィルタ組立体１００の斜視図である。図
２は、図１に示されるフィルタ組立体１００の概略図である。図２は、フィルタ
組立体１００を通る磁束の流れを示す。フィルタ組立体１００は、中心軸線１０
４の周囲に延びる（例えば、取り囲む）環状のヨーク、即ちコア体１０２を含む
。コア体１０２は、図１に示されるように、非円形状であってもよく、円形状で
あってもよく、又は別の形状であってもよい。コア体１０２は、フェライト材料
等の磁気伝導材料から形成され得る。フィルタ組立体１００はまた、中心軸線１
０４からコア体１０２に向かって延びる方向に沿って、半径方向に延びる複数の
プロング１０６を含む。プロング１０６も、フェライト材料等の磁気伝導材料か
ら形成され得る。プロング１０６は、図１に示されるように、コア体１０２と、
互いとに結合されることができ、又は以下に説明されるように、１つ以上の分離
ギャップにより、コア体１０２、及び／又は互いから離されていてもよい。
【００１３】
プロング１０６は、中心軸線１０４を中心に、対称的に配置され得る。例えば
、プロング１０６は、
【００１４】
【数１】
0006280530.tif 000002
度、
【００１５】
【数２】
0006280530.tif 000003
ラジアン、又は別の距離で、互いから離されていてもよく、ここでｎは、プロン
グ１０６の数を表す。図示された実施形態では、３本のプロング１０６が含まれ
ているが、代替的に、別の本数のプロング１０６が、設けられ得る。プロング１
０６は、導電巻き線１０８により、少なくとも部分的に取り囲まれている。導電
巻き線１０８は、別々の相の電流を伝え、プロング１０６に、磁束を誘導するこ
とができる。例えば、第１プロング１０６の周囲の導電巻き線１０８は、第１相
（例えば、図１の「Ａ相」）の交流電流を導電することができ、別の第２プロン
グ１０６は、別の第２相（例えば、図１の「Ｂ相」）の同じ交流電流を導電する
ことができ、別の第３プロング１０６は、別の第３相（例えば、図１の「Ｃ相」
）の同じ交流電流を導電することができる。
【００１６】
第１相の電流が、プロング１０６の周囲に延びる導電巻き線１０８を通って伝
わる間（例えば、図１に示されるような、Ａ相、及び第１プロング１０６）、磁
束（Φ）が、プロング１０６に誘導される。図２は、フィルタ組立体１００にお
ける磁束（Φ）を表す、いくつかの磁束線２００を示す。磁束線２００間の間隔
により、線２００がより近い場合は、線２００が離れている場合と比較して、磁
束密度が高いことを表すというように、磁束（Φ）の密度を示すことができる。
磁束（Φ）が、プロング１０６に沿って伝えられると、磁束（Φ）は、部分的な
磁束（例えば、
【００１７】
【数３】
0006280530.tif 000004
）に分割され、コア体１０２を通って伝えられ得る。他のプロング１０６は、単
一のプロング１０６に関して、図２に示されるように、同様の方式で、他の磁束
（Φ）を、コア体１０２に伝えることができる。
【００１８】
各プロング１０６の周囲の巻き線１０８は、別々のセットの導電巻き線を表す
ことができる。例えば、１つのプロング１０６の周囲の導電巻き線１０８は、導
電材料による第１巻き線、及び第２巻き線（例えば、ワイヤ）を表すことができ
、第１巻き線、及び第２巻き線は、互いから離れており、互いに導電結合されて
いない。これらの巻き線のうち１つが、電流を伝え、プロング１０６に、磁束（
Φ）を誘導することができる。他の巻き線は、同じプロング１０６を通して伝え
られている磁束（Φ）に基づき生成される電流を伝えることができる。例えば、
電流は、磁束（Φ）により、第２巻き線に誘導される。第１巻き線を通して伝え
られ、磁束（Φ）を誘導する電流を、入力、又は流入電流と呼ぶことができ、こ
の磁束（Φ）により、第２巻き線に誘導される電流を、出力、又は流出電流と呼
ぶことができる。フィルタ組立体１００は、プロング１０６の周囲の第１巻き線
に電流を受け、フィルタ組立体１００のプロング１０６、及びコア体１０２に、
磁束（Φ）を誘導し、その後、この磁束（Φ）から、第２巻き線に出力電流を誘
導することにより、（例えば、スパイク、即ち電流の瞬時的な上昇をフィルタリ
ングすることにより）この電流のいくらかの部分を除去することができる。必要
に応じて、フィルタ組立体１００は、第１巻き線に伝えられ、第２巻き線に誘導
されて出力電流になる電流の、電圧、又は他の大きさを、上げるか、下げるか、
そうでなければ変化させる変圧器、インダクタ等として使用され得る。
【００１９】
図１、及び図２に示されるように、フィルタ組立体１００のプロング１０６、
及びコア体１０２は、中心軸線１０４を中心に、対称的に配置されている。フィ
ルタ組立体１００のこの対称的な配置により、フィルタ組立体１００全体にわた
る、より均一な温度分布が可能になる。例えば、より大きな電流が、導電巻き線
１０８を通って伝わる間、比較的大きな磁束（Φ）が誘導され、プロング１０６
、及びコア体１０２を通して伝えられ得る。これらの磁束（Φ）は、プロング１
０６、及びコア体１０２の温度を、著しく上昇させる可能性がある。プロング１
０６、及びコア体１０２は、中心軸線１０４を中心に、対称形状を形成するため
、温度上昇の分布が、プロング１０６、及びコア体１０２の全体を通して、均一
な分布となり得る。プロング１０６が、中心軸線１０４を中心に、均一な間隔で
配置されていない場合、及び／又はコア体１０２が、中心軸線１０４を中心に、
別の対称ではない形状を有する場合、フィルタ組立体１００の１つ以上の部分に
おける温度上昇が、フィルタ組立体１００の１つ以上の他の部分における温度上
昇より、著しく大きくなる可能性がある。このような局所的な加熱により、温度
上昇がより大きな部分、又はそのような部分の近くでは、消耗が激しくなり、か
つ／又は故障の可能性が高まる恐れがある。温度上昇の分布を均一にすることに
より、フィルタ組立体１００では、非対称のフィルタ組立体に対して、補修、及
び／又は置き換えが必要になるまでの寿命を、より長くすることができる。
【００２０】
フィルタ組立体１００が対称形状であることによりまた、非対称形状と比較し
て、フィルタ組立体１００の重量を減らすことができる。非対称形状のフィルタ
は、磁束（Φ）を、フィルタのフェライト材料に伝えるのに効率的に使用されな
い余分な材料を含む場合がある。対称形状のフィルタ組立体１００により、より
重い、非対称のフィルタと比較して、フィルタ組立体１００における磁束（Φ）
の伝導を犠牲にすることなく、プロング１０６、及び／又はコア体１０２に含ま
れる余分なフェライト材料の量を減らすことができる。材料の量が減ることによ
りまた、非対称のフィルタと比較して、フィルタ組立体１００のコスト、及び／
又は大きさを減らすことができる。
【００２１】
図３は、別の実施形態による、別のフィルタ組立体３００を示す。図１、及び
図２に示されるフィルタ組立体１００と同様に、フィルタ組立体３００は、中心
軸線３０４の周囲に延びる（例えば、取り囲む）環状のヨーク、即ちコア体３０
２を含む。図４は、図３に示されるフィルタ組立体３００の概略図である。図４
は、フィルタ組立体３００を通る磁束の流れを示す。中心軸線３０４が、図３の
平面に対して垂直に向けられているため、中心軸線３０４は、図３では点として
示されている。コア体３０２は、図３に示されるように、円形状であってもよく
、非円形状であってもよく、又は別の形状であってもよい。コア体３０２は、フ
ェライト材料等の磁気伝導材料から形成され得る。
【００２２】
フィルタ組立体３００はまた、中心軸線３０４からコア体３０２に向かって延
びる方向に沿って、半径方向に延びる複数のプロング３０６を含む。図１、及び
図２に示される中心軸線１０４で交わる、図１に示されるプロング１０６とは対
照的に、図３に示されるプロング３０６は、中心軸線３０４で交わらない。その
代わり、プロング３０６は、エアギャップ、即ち分離ギャップ３１０の周囲に延
びる、又は取り囲む、フィルタ組立体３００の内部環状部３０８に向かって延び
る。内部環状部３０８は、コア体３０２、及び／又はプロング３０６と同じ材料
、又は同様の材料から形成され得る。中心軸線３０４は、内部環状部３０８の内
側の、ギャップ３１０内に配置されている。プロング３０６は、プロング３０６
、及び内部環状部３０８が、連続している（例えば、ギャップによって離されて
いない）ように、内部環状部３０８と結合されている。代替的に、１つ以上のギ
ャップが、プロング３０６と内部環状部３０８との間に配置され得る。
【００２３】
さらに、図１、及び図２に示されるフィルタ組立体１００とは対照的に、フィ
ルタ組立体３００は、プロング３０６とコア体３０２との間に、分離ギャップ３
１０を有する。分離ギャップ３１０は、エアギャップであってもよく、又は誘電
体材料等の材料で、完全に、もしくは少なくとも部分的に充填される空間であっ
てもよい。プロング３０６も、フェライト材料等の磁気伝導材料から形成され得
る。
【００２４】
図１、及び図２に示されるプロング１０６と同様に、プロング３０６は、中心
軸線３０４を中心に、対称的に配置され得る。図示された実施形態では、３本の
プロング３０６が含まれているが、代替的に、別の数のプロング３０６が、設け
られ得る。プロング３０６は、図１、及び図２に示されるフィルタ組立体１００
のプロング１０６と同様、又は同一に、導電巻き線１０８により、少なくとも部
分的に取り囲まれている。導電巻き線１０８は、上述したものと同様に、別々の
相の電流を伝え、プロング３０６に、磁束を誘導することができる。
【００２５】
第１相の電流が、第１プロング３０６の周囲に延びる導電巻き線１０８を通っ
て伝わる間、磁束（Φ）が、第１プロング３０６に誘導され得る。磁束（Φ）が
、第１プロング３０６に沿って伝えられると、磁束（Φ）は、部分的な磁束（例
えば、
【００２６】
【数４】
0006280530.tif 000005
）に分割され、分離ギャップ３１０をわたり、コア体３０２に伝えられ得る。他
のプロング３０６は、同様の方式で、他の磁束（Φ）を、コア体３０２に伝える
ことができる。図４に示されるいくつかの磁束線２００は、プロング３０６、及
びコア体３０２において伝えられている、かつ／又は誘導されている磁束（Φ）
の密度を示す。
【００２７】
図３に示されるように、フィルタ組立体３００のプロング３０６、及びコア体
３０２は、中心軸線３０４を中心に、対称的に配置されている。フィルタ組立体
３００のこの対称的な配置により、フィルタ組立体３００全体にわたる、より均
一な温度分布が可能になり、かつ／又は非対称のフィルタと比較して、フィルタ
組立体３００の重量、コスト、及び／もしくは大きさを減らすことができる。
【００２８】
図５は、別の実施形態による、フィルタ組立体５００の断面図を示す。図１〜
図４に示されるフィルタ組立体１００、フィルタ組立体３００と同様に、フィル
タ組立体５００は、中心軸線５０４の周囲に延びる（例えば、取り囲む）環状の
ヨーク、即ちコア体５０２を含む。中心軸線５０４が、図５の平面に対して垂直
に向けられているため、中心軸線５０４は、図５では点として示されている。コ
ア体５０２は、図５に示されるように、円形状であってもよく、非円形状であっ
てもよく、又は別の形状であってもよい。コア体５０２は、フェライト材料等の
磁気伝導材料から形成され得る。
【００２９】
フィルタ組立体１００、フィルタ組立体３００と同様に、フィルタ組立体５０
０はまた、中心軸線５０４からコア体５０２に向かって延びる方向に沿って、半
径方向に延びるいくつかのプロングを含む。フィルタ組立体１００、フィルタ組
立体３００とは対照的に、フィルタ組立体５００は、複数セットのプロングを含
む。第１セットのプロングは、差動モードプロング５０６（例えば、プロング５
０６Ａ〜プロング５０６Ｃ）を含み、別のセットのプロングは、コモンモードプ
ロング５０８（例えば、プロング５０８Ａ〜プロング５０８Ｃ）を含む。３本の
プロング５０６、及び３本のプロング５０８が示されているが、代替的には、差
動モードプロング５０６、及び／又はコモンモードプロング５０８のうち１つ以
上が、より少ない、又はより多い数のプロング５０６、プロング５０８を含んで
もよい。図５に示されるように、差動モードプロング５０６は、差動モードプロ
ング５０６の断面の直径、周長、面積、又は他の測定値が、コモンモードプロン
グ５０８の対応する断面の直径、周長、面積、又は他の測定値より大きいという
ように、コモンモードプロング５０８より大きくてもよい。プロング５０６、プ
ロング５０８も、フェライト材料等の磁気伝導材料から形成され得る。
【００３０】
図３に示されるフィルタ組立体３００のプロング３０６と同様に、図５に示さ
れるプロング５０６は、中心軸線５０４で交わらない。プロング５０６は、フィ
ルタ組立体５００の内部環状部５１０に延びてもよく、内部環状部５１０は、プ
ロング５０６、及び／又はコア体５０２と同じ材料、又は同様の材料から形成さ
れ得る。内部環状部５１０は、図３に示されるプロング３０６、及び内部環状部
３０８と同様に、ギャップ、即ち分離部が、プロング５０６と、内部環状部５１
０との間に存在しないように、プロング５０６と連続していてもよい。代替的に
、１つ以上のギャップが、プロング５０６と、内部環状部５１０との間に配置さ
れ得る。内部環状部５１０は、エアギャップ、即ち分離ギャップ５１２の周囲に
延びるか、又は取り囲む。中心軸線５０４は、内部環状部５１０の内側の、ギャ
ップ５１２内に配置されている。
【００３１】
分離ギャップ５１４が、差動モードプロング５０６と、コア体５０２との間に
配置されてもよい。分離ギャップ５１４は、エアギャップであってもよく、又は
誘電体材料等の材料で、完全に、もしくは少なくとも部分的に充填される空間で
あってもよい。代替的に、差動モードプロング５０６は、ギャップが、差動モー
ドプロング５０６と、コア体５０２との間に存在しないように、コア体５０２に
結合されてもよく、又は連続していてもよい。
【００３２】
コモンモードプロング５０８は、分離ギャップ５１６により、フィルタ組立体
５００の内部環状部５１０から離されていてもよい。分離ギャップ５１６は、エ
アギャップであってもよく、又は誘電体材料等の材料で、完全に、もしくは部分
的に充填される空間であってもよい。代替的に、コモンモードプロング５０８は
、ギャップが、コモンモードプロング５０８と、内部環状部５１０との間に存在
しないように、内部環状部５１０に結合されてもよく、又は連続していてもよい
。
図１〜図４に示されるプロング１０６、プロング３０６と同様に、プロング５
０６、及びプロング５０８は、中心軸線５０４を中心に、対称的に配置され得る
。図示された実施形態では、コモンモードプロング５０８のそれぞれは、２つの
差動モードプロング５０６間に配置されており、差動モードプロング５０６のそ
れぞれは、２つのコモンモードプロング５０８間に配置されている。例えば、プ
ロング５０６、プロング５０８の順序が、中心軸線５０４を中心に、時計回りの
経路、又は反時計回りの経路に沿って、交互になっていてもよい。
【００３３】
差動モードプロング５０６は、図１〜図４に示されるフィルタ組立体１００、
フィルタ組立体３００のプロング１０６、プロング３０６と同様、又は同一に、
導電巻き線１０８により、少なくとも部分的に取り囲まれている。導電巻き線１
０８は、上述したものと同様に、別々の相の電流を伝え、プロング５０６に、磁
束を誘導し、かつ／又はこの磁束によって誘導された出力電流を伝えることがで
きる。例えば、プロング５０６Ａの周囲の巻き線１０８は、第１相の交流電流を
伝え、プロング５０６Ａに第１磁束（Φ1）を誘導することができ、プロング５
０６Ｂの周囲の巻き線１０８は、第２相の交流電流を伝え、プロング５０６Ｂに
、第２磁束（Φ2）を誘導することができ、プロング５０６Ｃの周囲の巻き線１
０８は、第３相の交流電流を伝え、プロング５０６Ｃに、第３磁束（Φ3）を誘
導することができる。巻き線１０８はまた、磁束（Φ1、Φ2、Φ3）により、巻
き線１０８に誘導された出力電流を伝えることができる。
【００３４】
フィルタ組立体５００が、別々のモードで動作している間、別々の磁束（Φ）
が、プロング５０６、及び／又はプロング５０８に誘導され得る。例えば、フィ
ルタ組立体５００が、差動モードで動作している間、磁束（Φ）は、差動モード
プロング５０６に誘導され、差動モードプロング５０６により、コア体５０２、
及び／又は他のプロング５０６に伝えられ得るが、コモンモードプロング５０８
には、誘導され得ない、かつ／又は伝えられ得ない。フィルタ組立体５００が、
コモンモードで動作している間、磁束（Φ）は、差動モードプロング５０６と、
コモンモードプロング５０８との両方により、誘導され得る、かつ／又は伝えら
れ得る。
【００３５】
図６は、一実施形態によるフィルタ組立体５００の、差動モードでの動作中の
、フィルタ組立体５００における磁束（Φ）の伝導を、概略的に示す。フィルタ
組立体５００のプロング、及びコア体における磁束（Φ）を表す磁束線２００に
よって示されるように、磁束（Φ）は、電流が、差動モードのフィルタ組立体５
００に、巻き線１０８を通して伝えられる場合、差動モードプロング５０６には
誘導されるが、コモンモードプロング５０８には誘導されない。この磁束（Φ）
は、差動モードプロング５０６において比較的高密度であり、ギャップ５１４を
わたり、コア体５０２に伝えられ得る。上述のように、巻き線１０８のいくつか
の部分が、差動モードの電流を伝え、磁束（Φ）を生成することができる一方で
、巻き線１０８の離れた他の部分が、この磁束（Φ）によって誘導された出力電
流を、フィルタ組立体５００の外に伝えることができる。
【００３６】
図７は、一実施形態によるフィルタ組立体５００の、コモンモードでの動作中
の、フィルタ組立体５００における磁束（Φ）の伝導を、概略的に示す。フィル
タ組立体５００のプロング、及びコア体における磁束（Φ）を表す磁束線２００
によって示されるように、磁束（Φ）は、電流が、コモンモードのフィルタ組立
体５００に、巻き線１０８を通して伝えられる場合、差動モードプロング５０６
、及びコモンモードプロング５０８に誘導される。磁束（Φ）を誘導する電流を
伝える巻き線１０８は、一実施形態では、コモンモードプロング５０８の周囲に
は延びないが、この磁束（Φ）は、コモンモードプロング５０８に誘導される。
【００３７】
上述のように、フィルタ組立体５００のプロング５０６、プロング５０８、及
びコア体５０２は、中心軸線５０４を中心に、対称的に配置されている。フィル
タ組立体５００のこの対称的な配置により、フィルタ組立体５００全体にわたる
、より均一な温度分布が可能になり、かつ／又は非対称のフィルタと比較して、
フィルタ組立体５００の重量、コスト、及び／もしくは大きさを減らすことがで
きる。また、コモンモードプロング５０８は、コモンモードの電流によって誘導
された磁束（Φ）を、フィルタ組立体５００を通して伝えるために設けられ得る
。差動モード、及びコモンモードの両方の動作によって誘導される磁束（Φ）を
伝えることにより、磁束（Φ）が、フィルタ組立体５００から、ほとんど、又は
全く漏れないようにできる。その代わり、実質的にすべての、又はすべての磁束
（Φ）が、巻き線１０８により、フィルタ組立体５００の外に伝えられる出力電
流を誘導するために、使用され得る。
【００３８】
一態様では、コモンモードプロング５０８により、コモンモードの磁束専用の
通路が提供される。これらのプロング５０８は、磁束で飽和する可能性があり、
かつ／又はプロング５０８の位置が対称的であることにより、プロング５０８が
、フィルタ組立体５００に対するいかなるインダクタンスにも貢献しないように
、プロング５０８によって運ばれる磁束のいくらかが打ち消される可能性がある
。零シーケンスの磁束（即ちコモンモードの磁束）の場合、コモンモードの磁束
は、プロング５０６からの通路を完成させることができず、したがってプロング
５０８を通して伝えられ得る。
【００３９】
例えば、Ｒ相の磁束が最大（例えば、Φm）の状況では、Ｙ相の磁束、及びＢ
相の磁束は、それぞれ
【００４０】
【数５】
0006280530.tif 000006
になり得る。プロング５０６のいずれかに誘導された磁束は、磁束がほとんど、
コモンモードプロング５０８を通しては伝わらない状態で、通路に沿って、他の
２つのプロング５０６から伝えられ得る。零相シーケンスの磁束（例えば、磁束
の相、及び大きさが同一である、コモンモードの磁束、又はコモンモード動作）
の際には、磁束を、通路に沿って、差動モードプロング５０６を通して伝えるこ
とができない。コモンモードプロング５０８が、中心軸線５０４を中心に、対称
的に配置されているため、このコモンモードの磁束は、コモンモードプロング５
０８を通して伝えられ、高インダクタンスが、コモンモードの磁束に付与され得
る。
【００４１】
本明細書に説明される１つ以上のフィルタ組立体は、積層組立方法によって形
成され得る。このような方法は、フィルタ組立体のコア、及びプロングを形成す
るために使用される材料（例えば、フェライト材料）の複数の層を組み合わせる
ことを含むことができる。層は、コア体、及びプロングが形成されるまで、当接
する層の間に接着材を置くことにより、溶融、溶接、そうでなければ当接する層
を併せてヒュージングすること等により、組み合わされ得る。その後、導電巻き
線が、本明細書に説明されるように、プロングの周囲に巻き付けられ得る。
【００４２】
図１０は、一実施形態による、フィルタ組立体１０００の断面図を示す。フィ
ルタ組立体１０００は、フィルタ組立体１００、フィルタ組立体３００、及び／
又はフィルタ組立体５００等の、本明細書に説明される１つ以上のフィルタ組立
体を表すことができる。フィルタ組立体１０００は、中心軸線１００４の周囲に
延びる（例えば、取り囲む）環状のヨーク、即ちコア体１００２を含む。中心軸
線１００４が、図１０の平面に対して垂直に向けられているため、中心軸線１０
０４は、図１０では点として示されている。フィルタ組立体１０００はまた、中
心軸線１００４からコア体１００２に向かって延びる方向に沿って、半径方向に
延びるいくつかのプロングを含む。図示された実施形態では、フィルタ組立体１
０００は、第１セットのプロング１００６（例えば、差動モードプロング）、及
び第２セットのプロング１００８（例えば、コモンモードプロング）を含む。代
替的に、フィルタ組立体１０００は、プロング１００６は含むが、プロング１０
０８は含まなくてもよく、又はプロング１００８は含むが、プロング１００６は
含まなくてもよい。
【００４３】
プロング１００６は、中心軸線１００４で交わらない。プロング１００６は、
フィルタ組立体１０００の内部環状部１０１０に延びてもよい。内部環状部１０
１０は、ギャップ、即ち分離部が、プロング１００６と、内部環状部１０１０と
の間に存在しないように、プロング１００６と連続していてもよい。代替的に、
１つ以上のギャップが、プロング１００６と内部環状部１０１０との間に配置さ
れ得る。内部環状部１０１０は、エアギャップ、即ち分離ギャップ１０１２の周
囲に延びるか、又は取り囲む。中心軸線１００４は、内部環状部１０１０の内側
の、ギャップ１０１２内に配置されている。分離ギャップ１０１４が、プロング
１００６と、コア体１００２との間に配置されてもよい。代替的に、プロング１
００６は、ギャップが、プロング１００６と、コア体１００２との間に存在しな
いように、コア体１００２に結合されてもよく、又は連続していてもよい。プロ
ング１００８は、図５に示されるギャップ５１６と同様に、分離ギャップにより
、内部環状部１０１０から離されていてもよい。代替的に、プロング１００８は
、ギャップが、コモンモードプロング１００８と、内部環状部１０１０との間に
存在しないように、内部環状部１０１０に結合されてもよく、又は連続していて
もよい。プロング１００６は、他の組立体に関して、本明細書に説明されるのと
同様に、導電巻き線により、少なくとも部分的に取り囲まれ得る。
【００４４】
プロング１００６、及びプロング１００８は、中心軸線１００４を中心に、対
称的に配置され得る。同じ長さの弧１０１６が、第１セットのプロング１００６
の隣り合うプロング１００６間に延びることができる。同じ長さの弧１０１８が
、第２セットのプロング１００８の隣り合うプロング１００８間に延びることが
できる。明瞭になるように、弧１０１６、弧１０１８のそれぞれのうち１つのみ
が、図１０に示されている。これらの弧１０１６、弧１０１８は、１つ以上の円
の円周によって定められた通路に沿って延びることができ、これらの円は、中心
軸線１００４と同一の広がりを持つ（例えば、同じ）中心を有する。一実施形態
では、弧１０１６、弧１０１８は、中心軸線１００４と同じ中心を有する、同じ
円の円周によって定められた通路に沿って延びることができる。弧１０１６の長
さは、すべて同じであってもよく、弧１０１８の長さは、すべて同じであっても
よい。一実施形態では、弧１０１６の長さは、弧１０１８の長さと同じであって
もよい。代替的には、弧１０１６の長さは、（例えば、プロング１００８より多
くのプロング１００６がある場合、又はプロング１００６より多くのプロング１
００８がある場合）弧１０１８の長さと異なってもよい。
【００４５】
プロング１００６は、中心軸線１００４の周囲に延びる同じ距離（例えば、弧
１０１６）分、互いから離れて配置することにより、中心軸線１００４を中心に
、対称的に配置されている。プロング１００８は、中心軸線１００４の周囲に延
びる同じ距離（例えば、弧１０１８）分、互いから離れて配置することにより、
中心軸線１００４を中心に、対称的に配置されている。
【００４６】
図８は、一実施形態による、図１に示されるフィルタ組立体１００を形成する
ために組み合わせることができる、材料のいくつかの層である層１〜層６を示す
。製作方法の説明は、フィルタ組立体１００に焦点を合わせているが、必要に応
じて、この同じ方法が、本明細書に説明される、１つ以上の他のフィルタ組立体
３００、フィルタ組立体５００を形成するために使用され得る。
【００４７】
一実施形態では、層は、フェライト材料、又は別の磁気伝導材料の、いくつか
の別個のボディから形成され得る。これらのボディは、接着剤を使用すること、
溶接、ヒュージング、そうでなければボディを接続すること等により、互いに結
合され得る。別々の層である層１〜層６における、フィルタ組立体１００の同じ
部分を形成するために使用されるボディは、異なる形状であってもよい。
【００４８】
例えば、層１のボディ８００、ボディ８０２、ボディ８０４、ボディ８０６、
ボディ８０８、ボディ８１０が、コア体１０２を形成する。これらのボディは、
コア体１０２の対応する部分を形成する、層２のボディ８１８、ボディ８２０、
ボディ８２２、ボディ８２４、ボディ８２６、ボディ８２８とは、形状が異なる
。また、層１のプロング１０６の部分を形成する、ボディ８１２、ボディ８１４
、ボディ８１６は、層２のボディ８３０、ボディ８３２、ボディ８３４とは、形
状が異なってもよい。図８に示されるように、他の層である層３〜層６が、コア
体１０２、及び／又はプロング１０６の別の部分を形成する、形状の異なるボデ
ィを有することもできる。形状の異なるボディを有する、これらの別々の層であ
る層１〜層６を併せて結合し、コア体１０２、及びプロング１０６を形成するこ
とができる。
【００４９】
図９は、一実施形態による、電子フィルタ組立体を形成する方法９００の流れ
図を示す。方法９００は、本明細書に説明される、１つ以上のフィルタ組立体を
形成するために使用され得る。９０２の工程では、磁気伝導ボディによる複数の
層が得られる。これらの層は、磁気伝導材料のより大きなボディから、切り取ら
れるか、そうでなければ磁気伝導材料のより大きなボディから得られる。例えば
、図８に示されるより小さなボディを、磁気伝導材料から切り取り、その後、接
着剤、溶接、ヒュージング等により、併せて接合し、図８に示される複数の層で
ある層１〜層６を形成してもよい。９０４の工程では、層が、併せて結合され、
プロングを有する環状体を形成する。例えば、図８に示される層１〜層６を、接
着剤の使用、溶接、ヒュージング等により、併せて接合し、本明細書に示され、
かつ説明される、１つ以上の環状のボディ、及びプロングを形成してもよい。９
０６の工程では、導電巻き線が、プロングの周囲に配置され、電子フィルタ組立
体を形成する。例えば、巻き線１０８を、プロング１０６、プロング３０６、プ
ロング５０６の周囲に巻き付け、本明細書に説明される、１つ以上のフィルタ組
立体を形成してもよい。
【００５０】
一実施形態では、電子フィルタ組立体は、中心軸線の周囲に延びる磁気伝導環
状体と、中心軸線から、環状体に向かって半径方向に延びる、第１セットの磁気
伝導プロングと、第１セットのプロングの周囲に延びる導電巻き線とを備える。
【００５１】
一態様では、第１セットの磁気伝導プロングが、磁束を、環状体に、磁気的に
伝えるように構成される。磁束は、導電巻き線を通して伝えられている電流によ
り、第１セットの磁気伝導プロングに誘導され得る。
【００５２】
一態様では、第１セットの磁気伝導プロングが、中心軸線を中心に、互いから
対称的に離されている。例えば、中心軸線に対して垂直な平面では、第１セット
のプロングは、同じ平面に配置され、かつ第１セットの各プロングから、隣のプ
ロングに延びる弧により、互いから離されていてもよく、弧の長さは、第１セッ
トのプロングにおける、いずれの２つの隣り合うプロング間でも同じであっても
よい。
【００５３】
一態様では、第１セットのプロングが、１つ以上の分離ギャップにより、環状
体から離されている。
【００５４】
一態様では、フィルタ組立体がまた、中心軸線が通るギャップの周囲に延びる
内部環状部を含む。プロングは、内部環状部から、環状体に向かって延びること
ができる。
【００５５】
一態様では、フィルタ組立体がまた、中心軸線から、環状体に向かって半径方
向に延びる、第２セットの磁気伝導プロングを備える。
【００５６】
一態様では、第２セットのプロングは、プロングの周囲に延びる、いかなる導
電巻き線も含まない。
【００５７】
一態様では、環状体は、環状体の周囲に延びる、いかなる導電巻き線も含まな
い。
【００５８】
一態様では、第１セットの磁気伝導プロングが、フィルタ組立体が差動モード
で動作している間、磁束を磁気的に伝えるように構成されており、第２セットの
磁気伝導プロングが、フィルタ組立体がコモンモードで動作している間、磁束を
磁気的に伝えるように構成されている。
【００５９】
一態様では、第１セットの磁気伝導プロングが、中心軸線を中心に、互いから
対称的に離されており、第２セットの磁気伝導プロングが、中心軸線を中心に、
互いから対称的に離されている。例えば、中心軸線に対して垂直な平面では、第
１セットのプロングは、同じ平面に配置され、かつ第１セットの各プロングから
、隣のプロングに延びる第１の弧により、互いから離されていてもよく、第２セ
ットのプロングは、同じ平面に配置され、かつ各プロングから、隣のプロングに
延びる第２の弧により、互いから離されていてもよく、第１の弧の長さは、第１
セットのプロングにおける、いずれの２つの隣り合うプロング間でも同じであり
、第２の弧の長さは、第２セットのプロングにおける、いずれの２つの隣り合う
プロング間でも同じである。
【００６０】
一態様では、第１セット、及び第２セットの磁気伝導プロングが、３相の電流
が、導電巻き線を通して伝わる間、磁束を磁気的に伝えるように構成される。
【００６１】
一態様では、第１セットの磁気伝導プロングが、分離ギャップにより、環状体
から離されており、第２セットの磁気伝導プロングが、環状体に接続されている
。
【００６２】
一態様では、環状体、及び第１セットの磁気伝導プロングが、差動動作モード
中、磁束を磁気的に伝え、一方、第２セットの磁気伝導プロングは、磁束が、環
状体、及び第１セットの磁気伝導プロングの外側に漏れることを防止するために
、磁束を磁気的に伝えない。
【００６３】
別の実施形態では、（例えば、電子フィルタ組立体を形成する）方法は、中心
軸線の周囲に延びる磁気伝導環状体と、中心軸線から、環状体に向かって半径方
向に延びる、第１セットの磁気伝導プロングとを備える電子フィルタ組立体を形
成することを含む。環状体、及びプロングは、磁気伝導ボディによる複数の層を
、併せて結合することによって形成され得る。プロングは、電子フィルタ組立体
を形成するために、プロングの周囲に延びる導電巻き線を受けるように構成され
る。
【００６４】
一態様では、層の磁気伝導ボディは、形状が異なる。
【００６５】
一態様では、環状体、又はプロングの共通の部品を形成する層の磁気伝導ボデ
ィは、層のうち別々の層では、形状が異なる。
【００６６】
別の実施形態では、別の電子フィルタ組立体は、中心軸線の周囲に延びる磁気
伝導環状体と、中心軸線から、環状体に向かって半径方向に延びる、第１セット
の磁気伝導プロングと、中心軸線から、環状体に向かって半径方向に延びる、第
２セットの磁気伝導プロングとを備える。第１セットの磁気伝導プロングが、フ
ィルタ組立体が差動モードで動作している間、磁束を磁気的に伝えるように構成
されており、第２セットの磁気伝導プロングが、フィルタ組立体がコモンモード
で動作している間、磁束を磁気的に伝えるように構成されている。
【００６７】
一態様では、第１セットの磁気伝導プロングが、中心軸線を中心に、互いから
対称的に離されており、第２セットの磁気伝導プロングが、中心軸線を中心に、
互いから対称的に離されている。
【００６８】
一態様では、フィルタ組立体がまた、第１セットの磁気伝導プロングの周囲に
延びる導電巻き線を含む。
【００６９】
一態様では、第１セット、及び第２セットの磁気伝導プロングが、３相の電流
が、導電巻き線を通して伝わる間、磁束を磁気的に伝えるように構成される。
【００７０】
一態様では、第１セットの磁気伝導プロングが、分離ギャップにより、環状体
から離されており、第２セットの磁気伝導プロングが、環状体に接続されている
。
【００７１】
一態様では、環状体、及び磁気伝導プロングが、磁束が、環状体、及び磁気伝
導プロングの外側に漏れることを防止するために、差動モードの間、及びコモン
モードの間、磁束を磁気的に伝える。
【００７２】
上記の説明は、例示的なものであることが意図されており、限定的なものでは
ないことを理解されたい。例えば、上述の実施形態（及び／又は上述の実施形態
の態様）は、互いに組み合わせて使用され得る。また、本発明の主題の範囲から
逸脱することなく、特定の状況、又は材料を、本発明の主題の教示に適合させる
ために、多くの修正がなされ得る。本明細書に説明される材料の寸法、及び種類
は、本発明の主題のパラメータを定めることが意図されているが、これらは限定
的なものではなく、例示的な実施形態である。多くの他の実施形態が、上記の説
明を検討することにより、当業者には明らかになるであろう。したがって、本発
明の主題の範囲は、添付の特許請求の範囲を参照し、そのような特許請求の範囲
が権利を与えられる均等物の範囲全体に沿って、決定されるべきである。添付の
特許請求の範囲では、「含む」、及び「ここで」という用語が、「備える」、及
び「ここにおいて」というそれぞれの用語の、平易な英語による同意義語として
使用される。その上、以下の特許請求の範囲において、「第１」、「第２」、及
び「第３」等の用語は、単に符号として使用されており、特許請求の範囲の対象
に、数的用件を課すことを意図するものではない。また、以下の特許請求の範囲
における限定は、ミーンズプラスファンクション形式で書かれたものではなく、
そのような特許請求の範囲における限定が、さらなる構造を有さない機能の言及
が後に続く「〜のための手段」という表現を、明示的に使用しない限り、かつ明
示的に使用するまでは、米国特許法第１１２条（ｆ）に基づき解釈されることを
意図するものではない。
【００７３】
本明細書は、本発明の主題のいくつかの実施形態を開示するために、さらにいかなる装置、又はシステムを作製し、かつ使用すること、及びいかなる組み込まれた方法を実施することを含めて、当業者ならば、本発明の主題の実施形態を実践することができるように、例を使用する。本発明の主題における特許性のある範囲は、当業者に想起される他の例を含む場合がある。このような他の例は、特許請求の範囲の文言と異ならない構造要素を有する場合、又は特許請求の範囲の文言と実質的な差異のない均等の構造要素を含む場合、特許請求の範囲内にあることが意図されている。
【００７４】
本明細書で使用される場合、単数形で述べられ、かつ「１つ」という用語で始まる要素、又は過程は、除外すると明言されない限り、複数の前述の要素、又は過程を除外するものではないと理解されるべきである。また、本発明の主題の「一実施形態」、又は「１つの実施形態」に対する参照は、述べられた機能をさらに組み込む、さらなる実施形態の存在を除外するものとして解釈されることを意図するものではない。その上、逆が明言されない限り、特定の特性を有する１つの要素、又は複数の要素を「備える」、「含む」、又は「有する」実施形態は、その特性を有さない、さらなるそのような要素を含む場合がある。
【００７５】
本明細書に含まれる本発明の主題の趣旨、及び範囲から逸脱することなく、上述のシステム、及び方法において、特定の変更がなされ得るため、上記の説明の主題、又は添付の図面に示される主題のすべては、本明細書において、本発明の概念を示す単なる例として解釈され、本発明の主題を限定すると解釈されるものではないことが意図されている。
【００７６】
本明細書で使用される場合、仕事、又は作業を実施するように「構成された」構造体、限定部、又は要素は、その仕事、又は作業に対応する方式で、特に構造的に形成されるか、構築されるか、プログラムされるか、又は適合される。明瞭にし、疑義を避けるために、仕事、又は作業を実施するように、単に修正することができる物体は、本明細書で使用される場合、仕事、又は作業を実施するように「構成されている」ものとはしない。その代わり、本明細書で使用される場合、「構成されている」の使用は、仕事、もしくは作業を実施するようにプログラムされた「既製の」構造体、もしくは要素とは異なる方式で、対応する仕事、もしくは作業を実施するための、構造的適応、もしくは構造的特性、構造体、もしくは要素のプログラミングを示し、かつ／又は仕事、もしくは作業を実施するように「構成されている」と説明される、いかなる構造体、限定部、もしくは要素の、構造的要件を示す。
［実施態様１］
中心軸線の周囲に延びる磁気伝導環状体と、
前記中心軸線から、前記環状体に向かって半径方向に延びる、第１セットの磁気伝導プロングと、
前記第１セットの前記プロングの周囲に延びる導電巻き線とを備える電子フィルタ組立体。
［実施態様２］
前記第１セットの前記磁気伝導プロングが、磁束を、前記環状体に、磁気的に伝えるように構成されており、前記磁束が、前記導電巻き線を通して伝えられている電流により、前記第１セットの前記磁気伝導プロングに誘導される、実施態様１に記載の電子フィルタ組立体。
［実施態様３］
前記第１セットの前記磁気伝導プロングが、前記中心軸線を中心に、互いから対称的に離されている、実施態様１に記載の電子フィルタ組立体。
［実施態様４］
前記第１セットの前記プロングが、１つ以上の分離ギャップにより、前記環状体から離されている、実施態様１に記載の電子フィルタ組立体。
［実施態様５］
前記中心軸線が通るギャップの周囲に延びる内部環状部をさらに備え、前記プロングが、前記内部環状部から、前記環状体に向かって延びる、実施態様１に記載の電子フィルタ組立体。
［実施態様６］
前記中心軸線から、前記環状体に向かって半径方向に延びる、第２セットの磁気伝導プロングをさらに備える、実施態様１に記載の電子フィルタ組立体。
［実施態様７］
前記第２セットの前記プロングが、前記第２セットの前記プロングの周囲に延びる、いかなる導電巻き線も含まない、実施態様１に記載の電子フィルタ組立体。
［実施態様８］
前記第１セットの前記磁気伝導プロングが、前記フィルタ組立体が差動モードで動作している間、磁束を磁気的に伝えるように構成されており、前記第２セットの前記磁気伝導プロングが、前記フィルタ組立体がコモンモードで動作している間、前記磁束を磁気的に伝えるように構成されている、実施態様７に記載の電子フィルタ組立体。
［実施態様９］
前記第１セットの前記磁気伝導プロングが、前記中心軸線を中心に、互いから対称的に離されており、前記第２セットの前記磁気伝導プロングが、前記中心軸線を中心に、互いから対称的に離されている、実施態様７に記載の電子フィルタ組立体。
［実施態様１０］
前記第１セットの前記磁気伝導プロングが、分離ギャップにより、前記環状体から離されており、前記第２セットの前記磁気伝導プロングが、前記環状体に接続されている、実施態様７に記載の電子フィルタ組立体。
［実施態様１１］
前記環状体、及び前記第１セットの前記磁気伝導プロングが、差動動作モード中、前記磁束を磁気的に伝え、一方、前記第２セットの前記磁気伝導プロングが、前記磁束が、前記環状体、及び前記第１セットの前記磁気伝導プロングの外側に漏れることを防止するために、前記磁束を磁気的に伝えない、実施態様７に記載の電子フィルタ組立体。
［実施態様１２］
前記環状体が、前記環状体の周囲に延びる、いかなる導電巻き線も含まない、実施態様１に記載の電子フィルタ組立体。
［実施態様１３］
中心軸線の周囲に延びる磁気伝導環状体と、前記中心軸線から、前記環状体に向かって半径方向に延びる、第１セットの磁気伝導プロングとを有する電子フィルタ組立体を形成することを含む方法であって、前記環状体、及び前記プロングが、磁気伝導ボディによる複数の層を併せて結合することにより形成され、前記プロングが、前記電子フィルタ組立体を形成するために、前記プロングの周囲に延びる導電巻き線を受けるように構成される方法。
［実施態様１４］
前記層の前記磁気伝導ボディが、異なる形状を有する、実施態様１３に記載の方法。
［実施態様１５］
前記環状体、又は前記プロングの共通の部品を形成する、前記層の前記磁気伝導ボディが、前記層のうち別々の層では、形状が異なる、実施態様１３に記載の方法。
［実施態様１６］
中心軸線の周囲に延びる磁気伝導環状体と、
前記中心軸線から、前記環状体に向かって半径方向に延びる、第１セットの磁気伝導プロングと、
前記中心軸線から、前記環状体に向かって半径方向に延びる、第２セットの磁気伝導プロングとを備える電子フィルタ組立体であって、
前記第１セットの前記磁気伝導プロングが、前記フィルタ組立体が差動モードで動作している間、磁束を磁気的に伝えるように構成され、前記第２セットの前記磁気伝導プロングが、前記フィルタ組立体がコモンモードで動作している間、前記磁束を磁気的に伝えるように構成される電子フィルタ組立体。
［実施態様１７］
前記第１セットの前記磁気伝導プロングが、前記中心軸線を中心に、互いから対称的に離されており、前記第２セットの前記磁気伝導プロングが、前記中心軸線を中心に、互いから対称的に離されている、実施態様１６に記載の電子フィルタ組立体。
［実施態様１８］
前記第１セット、及び前記第２セットの前記磁気伝導プロングが、３相の電流が、前記導電巻き線を通して伝わる間、前記磁束を磁気的に伝えるように構成される、実施態様１６に記載の電子フィルタ組立体。
［実施態様１９］
前記第１セットの前記磁気伝導プロングが、分離ギャップにより、前記環状体から離されており、前記第２セットの前記磁気伝導プロングが、前記環状体に接続されている、実施態様１６に記載の電子フィルタ組立体。
［実施態様２０］
前記環状体、及び前記磁気伝導プロングが、前記磁束が、前記環状体、及び前記磁気伝導プロングの外側に漏れることを防止するために、前記差動モードの間、及び前記コモンモードの間、前記磁束を磁気的に伝える、実施態様１６に記載の電子フィルタ組立体。
【符号の説明】
【００７７】
１  層
２  層
３  層
４  層
５  層
６  層
１００  フィルタ組立体
１０２  コア体
１０４  中心軸線
１０６  プロング
１０８  巻き線
２００  磁束線
３００  フィルタ組立体
３０２  コア体
３０４  中心軸線
３０６  プロング
３０８  内部環状部
３１０  分離ギャップ
５００  フィルタ組立体
５０２  コア体
５０４  中心軸線
５０６  プロング
５０６Ａ  プロング
５０６Ｂ  プロング
５０６Ｃ  プロング
５０８  プロング
５０８Ａ  プロング
５０８Ｂ  プロング
５０８Ｃ  プロング
５１０  内部環状部
５１２  分離ギャップ
５１４  分離ギャップ
５１６  分離ギャップ
８００  ボディ
８０２  ボディ
８０４  ボディ
８０６  ボディ
８０８  ボディ
８１０  ボディ
８１２  ボディ
８１４  ボディ
８１６  ボディ
８１８  ボディ
８２０  ボディ
８２２  ボディ
８２４  ボディ
８２６  ボディ
８２８  ボディ
８３０  ボディ
８３２  ボディ
８３４  ボディ
１０００  フィルタ組立体
１００２  コア体
１００４  中心軸線
１００６  プロング
１００８  プロング
１０１０  内部環状部
１０１２  分離ギャップ
１０１４  分離ギャップ
１０１６  弧
１０１８  弧
Φ  磁束
Φ１  第１磁束
Φ２  第２磁束
Φ３  第３磁束
【図１】
0006280530.tif 000007
【図２】
0006280530.tif 000008
【図３】
0006280530.tif 000009
【図４】
0006280530.tif 000010
【図５】
0006280530.tif 000011
【図６】
0006280530.tif 000012
【図７】
0006280530.tif 000013
【図８】
0006280530.tif 000014
【図９】
0006280530.tif 000015
【図１０】
0006280530.tif 000016